(57)【要約】【課題】シートに組み込まれたマッサージ機構の押し玉の上下位置を任意に選定可能とし、着席者（使用者）が好む場所への押し玉による指圧を可能とする。【解決手段】ベースフレーム（４）の両側部（８，８）のフランジ部（１２，１２）に後方へ退がった格納部（１３，１３）を設ける。両側部に沿ってスクリューナット機構（１９，１９）を配し、ナット（２１，２１）にブラケット（２７，２７）を固定し、ブラケット（２７，２７）に枢支したリンク（２８，２８）にロッド（３０）を保持する。ロッド（３０）は押し玉（３４，３４）を有す。ロッド（３０）はガイド部（１２，１２）に沿って上下動し、格納部（１３，１３）に格納される。格納位置ではロッド（３０）、押し玉（３４，３４）は着席者の体重を受けない。【選択図】　　　　　図１
2004057674.tif 000002
【特許請求の範囲】
【請求項１】
ベースフレームの両側部に上下動自在に支持された対のブラケットと、該ブラケットに対し回転自在に配されたロッドと、ロッドの回転軸心に対して偏心した位置で回転自在にしてかつロッドに保持された押し玉とを備えるマッサージ機構付きシート。
【請求項２】
ロッドがリンクを介してブラケットに支持され、ロッドを回転させるアクチュエータが一方のリンクに保持されかつブラケットを上下動させる駆動機構がベースフレームに保持されている請求項１記載のマッサージ機構付きシート。
【請求項３】
駆動機構がアクチュエータと、アクチュエータの出力軸と連動しかつベースフレームの両側部に沿って配されたスクリューナット機構を有し、スクリューナット機構のナットがブラケットに結合されている請求項２記載のマッサージ機構付きシート。
【請求項４】
ロッドの両端部がベースフレームの両側部のガイド部に沿って上下動し、ロッドがリンクの回転中心を中心とした前後方への揺動が可能である請求項２又は３記載のマッサージ機構付きシート。
【請求項５】
ベースフレームの両側部のガイド部がシートの後方へと変形した格納部を有する請求項４記載のマッサージ機構付きシート。
【請求項６】
ロッドがブッシュを介してベースフレームの前面壁部としてのガイド部と格納部とに接する請求項５記載のマッサージ機構付きシート。
【請求項７】
ベースフレームの両側部が上下方向に延在する対の長孔を有し、ブラケットが一方の長孔を介してスクリューナット機構のナットに結合されかつ他方の長孔を介してその上下動のための案内がなされる請求項６記載のマッサージ機構付きシート。
【請求項８】
押し玉がベースフレームのセンターに対し左右対称に配されている請求項１乃至７の何れかに記載のマッサージ機構付きシート。
【請求項９】
押し玉がロッドに固定されたアームに回転自在に支持される請求項８記載のマッサージ機構付きシート。
【請求項１０】
アームがロッドの回転中心まわりに複数の押し玉を保持する請求項９記載のマッサージ機構付きシート。
【請求項１１】
ベースフレームに保持された駆動機構によりベースフレームの両側部に沿って上下動するブラケットと、該ブラケットに対し揺動自在に支持されたリンクと、該リンクに対して回転自在に支持されたロッドと、ロッドを回転させるアクチュエータと、ロッドの回転中心に対して偏心した位置を回転中心とするようロッドに保持された対の押し玉とを有し、ロッドがベースフレームの両側部のガイド部と格納部に沿って上下動し、格納部に位置するときロッドがフランジ部より後方に位置することを特徴とするマッサージ機構付き車両用シート。
【請求項１２】
ブラケットとリンクとの間にスプリングを配し、リンクをベースフレームの両側部方向へ付勢する請求項１１記載のマッサージ機構付き車両用シート。
【請求項１３】
シートが自動車用のシートである請求項１乃至１０の何れかに記載のマッサージ機構付きシート。
【発明の詳細な説明】
【０００１】
【発明の属する技術分野】
本発明は、マッサージ機構付きシートに関し、特に車両のシートに適用できるマッサージ機構付きシートに関する。
【０００２】
【従来の技術】
自動車シートにマッサージ機構を組み込み、このマッサージ機構を動作させることで着席者の腰部等を押圧し、疲労の回復を図ることは知られている。
例えば、特開平４−１２６１０６号公報は、シートのサイドフレーム間に回転自在なクランクロッドを配設し、このクランクロッドの偏心部に多数の突起を付したローラを取り付ける構成を示す。この例では、クランクロッドを電動モータにより回転させると、クランクロッドの偏心部に回転自在に取り付けたローラが、平面視、シートの前後部を往復動することになり、前方へ移動したとき着席者の腰部等を押圧することになる。
【０００３】
したがって、着席者はローラの突起により周期的に局部的な押圧（指圧感）を受けることになり、疲労の回復を促進させ得る。
【０００４】
【発明が解決しようとする課題】
自動車のシートは、表皮の内側にある程度の厚さを持つパット層即ちウレタン層が配され、マッサージ機構がこのウレタン層の後方に位置している。
したがって、ローラの突起による局部的押圧はウレタン層を介して着席者即ち使用者に加えられることになるので、突起の量をそれなりに大きくする必要がある。しかし、突起の量を大きくすると、突起のウレタン層への食い込みが大となり、クランクロッドの偏心部に対するローラの相的回転運動がなくなる。これは使用者への指圧感を減少させ使用者の疲労回復に有効でない。
【０００５】
加えて、この種のマッサージ機構は、クランクロッドの回転運動に伴い、その偏心部のローラがもっとも前方の位置ともっとも後方の位置との間を往復動するが、その位置は不変である。このため、着席者の腰部等の定位置を周期的に押圧することになり、時間の経過とともに痛みを着席者に与えかねない上に、着席者の望む指圧位置とずれている場合には不快感を着席者に与えることとなる。
【０００６】
それ故に、本発明は、前述した従来技術の不具合を解消させることを解決すべき課題とする。
【０００７】
【課題を解決するための手段】
本発明は、前述した課題を解決するために、ベースフレームの両側部に上下動自在に支持された対のブラケットと、該ブラケットに対し回転自在に配されたロッドと、ロッドの回転軸心に対して偏心した位置で回転自在にしてかつロッドに保持された押し玉とを備えるマッサージ機構付きシートを提供する。
【０００８】
このシートによれば、ロッドを回転させることで押し玉が周期的に前後進し指圧のようなマッサージを着席者に与え、さらに、ブラケットを上下動させることで押し玉の位置を変えることができ、着席者は好みの位置をマッサージできる。
【０００９】
さらに、同じ作用効果は、ベースフレームに保持された駆動機構によりベースフレームの両側部に沿って上下動するブラケットと、該ブラケットに対し揺動自在に支持されたリンクと、該リンクに対して回転自在に支持されたロッドと、ロッドを回転させるアクチュエータと、ロッドの回転中心に対して偏心した位置を回転中心とするようロッドに保持された対の押し玉とを有し、ロッドが、ベースフレームの両側部のガイド部と格納部に沿って上下動し、格納部に位置するときロッドがフランジ部より後方に位置することを特徴とするマッサージ機構付き車両用シートによっても得られる。
【００１０】
好ましくは、ブラケットとリンクとの間にスプリングを配し、リンクをベースフレームの両側部方向へ付勢する。さらに、シートが自動車用のシートとして用いられる。
【００１１】
さらに好ましくは、ロッドがリンクを介してブラケットに支持され、ロッドを回転させるアクチュエータが一方のリンクに保持されかつブラケットを上下動させる駆動機構がベースフレームに保持される。
又、駆動機構がアクチュエータと、アクチュエータの出力軸と連動しかつベースフレームの両側部に沿って配されたスクリューナット機構を有し、スクリューナット機構のナットがブラケットに結合される。
【００１２】
本発明によれば、ロッドの両端部がベースフレームの両側部のガイド部に沿って上下動し、ロッドがリンクの回転中心を中心とした前後方への揺動が可能である。
加えて、ベースフレームの両側部のフランジ部がシートの後方へと変形した格納部を有し、ロッドがブッシュを介してベースフレームの前面壁部としてのガイド部と格納部に接する。
【００１３】
さらに好ましくは、ベースフレームの両側部が上下方向に延在する対の長孔を有し、ブラケットが一方の長孔を介してスクリューナット機構のナットに結合されかつ他方の長孔を介してその上下動のための案内がなされる。
又、対の押し玉がベースフレームのセンターに対し左右対称に配され、押し玉がロッドに固定されたアームに回転自在に支持される。
【００１４】
【発明の実施の形態】
図１に、本発明の一例を組み込んだ自動車用のシート１を示す。シート１のシートフレーム２にマッサージ機構３のベースフレーム４を固定する。
シートフレーム２は、パイプ材を方形にプレス成形したもので、シートフレーム２にブラケット５，６を固定し、ブラケット５，６にベースフレーム４を常法に従い固定する。シートフレーム２にランバープレート７、または複数のシートバネ（図示なし）が固定される。シート１はウレタン材からなるパット層、表皮等を有するが、図１にはこれら部材の図示を省略している。
【００１５】
図２を参照する。マッサージ機構３のベースフレーム４は両側部８，８と、両側部８，８をその上下で連結する横棒９，９からなり、シートフレーム２のブラケット５，６への取付部材１０，１０を横棒９，９に固定する。
両側部８，８は、鋼板をプレス成形したもので、上下方向に延在する本体部１１と前面壁部としてのフランジ部１２とからなる。フランジ部１２の下方部は後方へと除変した格納部１３を有す。
【００１６】
側部８の本体部１１には長手方向に延在する対の長孔１４，１５が穿設される。
両側部８，８を用いて駆動機構１６を取り付ける。駆動機構１６はアクチュエータとしての電動モータ１７、減速機構１８，１８、減速機構１８，１８に結合されかつベースフレーム４の両側部８，８に沿って配されるスクリューナット機構１９，１９を有す。
スクリューナット機構１９，１９は、減速機構１８，１８により回転させられるスクリュー２０，２０と、スクリュー２０，２０に螺合し、スクリュー２０，２０の回転により上下動するナット２１，２１と、ナット２１，２１の動きを規制するストッパ２２，２２を有す。スクリュー２０，２０の下部は両側部８，８に支承される。
【００１７】
図８を参照する。スクリュー２０，２０と螺合するナット２１，２１は、ナット２１，２１のためのブラケット２３、ブラケット２３に取り付けるボルト２４、長孔１４に沿って摺動するスライダー２５、ボルト２４に締め付けられるナット２６を用い両側部８，８に保持される。
スライダー２５は、長孔１４を通る中空本体と、長孔１４の側縁のフランジ部を受ける軸受部とからなり、本体の中空部にボルト２４が貫通する。
【００１８】
両側部８，８の本体部１１，１１に沿ってブラケット２７，２７を配す。ブラケット２７，２７は、細長い板材からなり、その上部はボルト２４を用いて両側部８，８に支持される。
ブラケット２７，２７の下部は、図９に示す如く、ボルト２４、スライダー２５、ナット２６を用い、長孔１５に案内されて上下動可能に両側部８，８に保持される。
【００１９】
スクリュー２０に沿うナット２１の動きに応じて両側部８，８に沿って上下動するブラケット２７，２７にリンク２８，２８を揺動自在に支持する。一方のリンク２８がアクチュエータ２９を保持する。アクチュエータ２９の出力軸にロッド３０を結合させる。
ロッド３０は、両側部８，８間に延在し、他方のリンク２８にロッド３０の端部を回動自在に支持させる。
アクチュエータ２９を作動させると、ロッド３０は回転運動をする。
【００２０】
ロッド３０の両端部にブッシュ３１，３１を組み付け、ブッシュ３１，３１を両側部８，８のフランジ部１２，１２に摺接させる。リンク２８，２８とブラケット２７，２７にスプリング３２，３２の端部を固定し、スプリング３２，３２によりリンク２８，２８をフランジ部１２，１２の方向へと常時付勢させる。
これにより、ロッド３０の上下動中、ロッド３０の前後方向の振れを解消できる。
【００２１】
ロッド３０に、アーム３３，３３を固定し、このアーム３３，３３に押し玉３４，３４を回転自在に支承する。この結果、ロッド３０が回転運動をすると、ロッド３０の回転中心まわりに押し玉３４，３４が公転しかつロッド３０の回転中心とは偏心した位置で押し玉３４，３４が自転することになる。この動きは、平面視すると、押し玉３４，３４が前方と後方とへ周期的に動く往復動として説明されよう。
【００２２】
図示例では、アーム３３，３３に１個の押し玉３４，３４を回転自在に支持したが、２個（１８０度間隔）、或いは３個（１２０度間隔）支持させてもよい。押し玉３４，３４は、ベースフレーム４のセンターの左右に対に配す。好ましくは、押し玉３４，３４をベースフレーム４のセンターに対して左右対称に配す。
【００２３】
次に、本発明の一例のマッサージ機構の動作について説明する。
図４は、押し玉３４，３４が最上位置にある状態を示す。この状態で着席者が押し玉３４，３４の位置を下げるよう指示すると、電動モータ１７が動作し、スクリュー２０，２０が回転し、ナット２１，２１を下方へと移動させる。ナット２１，２１の動きはブラケット２７，２７に伝達され、ナット２１，２１の動きに追従して、ブラケット２７，２７を下方へと移動する（図５参照）。
【００２４】
ブラケット２７，２７の下方への動きはスライダー２５，２５と長孔１４，１５によって案内されるので、一定の軌跡に沿っての動きとなる。加えて、ロッド３０は、スプリング３２，３２の付勢力及び着席者の体重を受けてベースフレーム４のフランジ部１２即ちベースフレームの両側部のフランジ部１２にブッシュ３１，３１を介して接しているので、押し玉３４，３４の上下動の軌跡はブラケット２７，２７の上下動の軌跡と同様に一定となっている。
【００２５】
着席者の好む位置に押し玉３４，３４がきたとき、電動モータ１７の作動を停止する。次いで、アクチュエータ２９を動作させ、ロッド３０を回転させる。
ロッド３０の回転は押し玉３４，３４をロッド３０の回転中心まわりに公転させる。これにより、着席者の腰部等に指圧感を与える。マッサージ終了後は、ロッド３０の回転を停止させる。必要なら、押し玉３４，３４を後方位置に移動させておく。
好ましくは、ロッド３０の回転停止時、押し玉３４を前方位置としておくか或いは後方位置にしておくか、着席者が選択できるようにアクチュエータ２９のためのスイッチを構成する。
【００２６】
押し玉３４，３４を後方位置にすると、着席者の体重は、ロッド３０で受けることになり、ロッド３０がランバーサポートの働きをする。
好ましくは、図１に示すように、ランバーサポート７の適所に孔を設け、この孔を介して押し玉３４，３４を前後進させる。
【００２７】
図４と図５に示す状態のとき、図１０に示すように、ロッド３０がシート１のウレタン材からなるパット層３５を圧し、押し玉３４，３４はこの圧縮されたパット層３５を介して着席者の腰部等を押し、指圧感を与えることになる。
【００２８】
図６と図７を参照する。図６はロッド３０と押し玉３４，３４が電動モータ１７、スクリューナット機構１９，１９により、ベースフレーム４の両側部８，８の格納部１３に移動した状態を示す。格納部１３は、フランジ部１２より、ブッシュ３１，３１の直径の寸法よりやや大きな寸法分後方へ退がっている。ロッド３０がフランジ部１２、段部、格納部１３へと移動すると、ロッド３０はフランジ部１２より後方に位置する。
ロッド３０の最下限位置は、ナット２１，２１のブラケット２３，２３がストッパ２２，２２に当接することで規制される。この位置で電動モータ１７は自動的に停止し、過負荷とならないようにする。
【００２９】
図６の状態では、押し玉３４，３４が前方に位置した状態で静止しているが、着席者はスイッチ選択により押し玉３４，３４を図７に示す如き後方位置に移動させ、静止させておくこともできる。この場合、図１１に示すように、ロッド３０はパット層３５より後方に位置し、ロッド３０、押し玉３４，３４が着席者の体重を受けることはない。
【００３０】
図４乃至図７から明らかなように、押し玉３４，３４は、ロッド３０のフランジ部１２と格納部１３に沿う動きにより、一定の軌跡を保ちつつ上下動自在となっている。このため、着席者の望む位置に押し玉３４，３４を移動できる。
さらに、ロッド３０と押し玉３４，３４をフランジ部１２，１２即ちベースフレームの両側部の前面壁部より後方の格納部へ移動させ得る。これにより、着席者はロッド３０、押し玉３４，３４の存在を感じることなくシートを使用できる。かくして、本発明によるシートは車両用シートに最適である。
尚、図示例では、格納部はフランジ部１２の下方に設けているが、その位置は任意に選択できる。
【図面の簡単な説明】
【図１】本発明の一例のマッサージ機構付きシートの骨組みを示す斜視図である。
【図２】ベースフレームの詳細を示す斜視図である。
【図３】ベースフレームの正面図である。
【図４】押し玉が上方位置をとるベースフレームの側面図である。
【図５】押し玉が下方位置をとるベースフレームの側面図である。
【図６】押し玉が後方位置をとるベースフレームの側面図である。
【図７】押し玉が格納位置をとるベースフレームの側面図である。
【図８】図３の矢視ＶＩＩＩ−ＶＩＩＩより見た断面図である。
【図９】図３の矢視ＩＸ−ＩＸより見た断面図である。
【図１０】押し玉が図４と図５に示す位置をとるときのシートのパット層と人体（着席者）との関係を示す図である。
【図１１】押し玉が図７に示す位置をとるときのシートのパット層と人体（着席者）との関係を示す図である。
【符号の説明】
１　　シート
４　　ベースフレーム
７　　ランバーサポート
８　　両側部
１１　　本体部
１２　　ガイド部（フランジ部）
１３　　格納部
１４，１５　　長孔
１６　　駆動機構
１７　　電動モータ
【図１】
2004057674.tif 000003
【図２】
2004057674.tif 000004
【図３】
2004057674.tif 000005
【図４】
2004057674.tif 000006
【図５】
2004057674.tif 000007
【図６】
2004057674.tif 000008
【図７】
2004057674.tif 000009
【図８】
2004057674.tif 000010
【図９】
2004057674.tif 000011
【図１０】
2004057674.tif 000012
【図１１】
2004057674.tif 000013